(57)【要約】【課題】多様な形状の物品を確実に支持して、衝撃から保護できるようにする。【解決手段】連設された隣り合う支持板５，６に、その境界を跨いで受止帯９を形成し、受止帯９の両端及び中間に幅方向に延びる端折線９ａ及び中折線９ｂを入れ、支持板５，６の折り曲げに伴い、受止帯９を端折線９ａ及び中折線９ｂに沿って支持板５，６から起き上がるように折り曲げた包装用緩衝体において、前記受止帯９の側縁に、中折線９ｂの位置を挟んで受止帯９の両端方向に繋がった折込片１０を連設し、折込片１０に、中折線９ｂの端部から延長した折込線１０ａを入れ、折込片１０を、折込線１０ａに沿って屈曲させ、受止帯９の内側に折り込む。折込片１０が抵抗となって、輸送時等に大きな衝撃が作用しても、受止帯９の折り曲げが戻ることなく、受止帯９が支持板５，６から起き上がった状態に維持され、物品が支持板５，６と共に、受止帯９により支持される。【選択図】図１
2010132325.tif 000002
【特許請求の範囲】
【請求項１】
連設された隣り合う支持板(5,6)に、その境界を跨いで受止帯(9)を形成し、受止帯(9)の両端及び中間に幅方向に延びる端折線(9a)及び中折線(9b)を入れ、支持板(5,6)の折り曲げに伴い、受止帯(9)を端折線(9a)及び中折線(9b)に沿って支持板(5,6)から起き上がるように折り曲げた包装用緩衝体において、
前記受止帯(9)の側縁に、中折線(9b)の位置を挟んで受止帯(9)の両端方向に繋がった折込片(10)を連設し、折込片(10)に、中折線(9b)の端部から延長した折込線(10a)を入れ、折込片(10)を、折込線(10a)に沿って屈曲させ、受止帯(9)の内側に折り込むようにしたことを特徴とする包装用緩衝体。
【請求項２】
前記支持板(5,6)により底面及び一対の側面を形成する１個の主緩衝材(1)と、支持板(21)により一対の端面を形成する２個の副緩衝材(2)とから成り、主緩衝材(1)では、底面及び側面の支持板(5,6)にスリット(8)を設け、底面と側面の支持板(5,6)からスリット(8)の内側に沿って受止帯(9)を起き上がらせ、副緩衝材(2)では、端面の支持板(21)にスリット(24)を設け、主緩衝材(1)と副緩衝材(2)とを、スリット(8,24)の相互差込により一体化したことを特徴とする請求項１に記載の包装用緩衝体。
【発明の詳細な説明】
【技術分野】
【０００１】
この発明は、物品の包装に使用する段ボール製の包装用緩衝体に関するものである。
【背景技術】
【０００２】
従来、図１０に示すような包装用緩衝体が使用されている。この緩衝体は、１個の主緩衝材５１と、一対の端面を形成する支持板５２とから成り、主緩衝材５１は、底面及び一対の側面を形成する支持板５３，５４と、支持板５４の外側に重なる外側板５５とを備えたものとされている。主緩衝材５１と端面の支持板５２とは、それぞれに設けたスリット５６，５７の相互差込により一体化されている。
【０００３】
この緩衝体では、各一対の支持板５２，５４で囲まれた物品収納空間の外周に緩衝空間が確保され、外側板５５は、支持板５４よりも下方へ延長されて、底面の支持板５３が浮き上がり、支持板５３の下方にも緩衝空間が確保されている。
【０００４】
また、底面と側面の支持板５３，５４には、その境界を跨いで受止帯５８が形成され、受止帯５８の両端及び中間には、幅方向に延びる端折線５８ａ及び中折線５８ｂが入れられている。受止帯５８は、支持板５３，５４の折り曲げに伴い、端折線５８ａ及び中折線５８ｂに沿って支持板５３，５４から起き上がるように折り曲げられている。
【０００５】
このような受止帯５８を設けると、外面に段差や径差のある物品を包装する際、物品が底面及び側面の支持板５３，５４及び端面の支持板５２だけでなく、受止帯５８でも部分的に支持されるので、輸送時等に作用する衝撃が受止帯５８で受け止められて緩和され、物品の破損が防止される。
【０００６】
また、下記特許文献１には、物品が傷付くのを防止するため、図１１に示すように、隣接する支持板５３，５４の角部に設けた受止帯５８の側縁に、中折線５８ｂの位置で途切れた折曲片５９を連設し、折曲片５９が折れ曲がって物品の外面に沿い、受止帯５８の側縁が直接物品に当接することを防止したものが記載されている。
【０００７】
【特許文献１】特開２０００−１９１０５０
【発明の開示】
【発明が解決しようとする課題】
【０００８】
しかしながら、上記図１０及び図１１に示す緩衝体では、受止帯５８を外側に押し出す方向の非常に大きな衝撃が作用した場合、受止帯５８が側板５３，５４と同一面に戻ってしまい、衝撃を吸収することができなくなることがあった。
【０００９】
そこで、この発明は、多様な形状の物品を確実に支持して、衝撃から保護できるようにすることを課題とする。
【課題を解決するための手段】
【００１０】
上記課題を解決するため、この発明では、連設された隣り合う支持板に、その境界を跨いで受止帯を形成し、受止帯の両端及び中間に幅方向に延びる端折線及び中折線を入れ、支持板の折り曲げに伴い、受止帯を端折線及び中折線に沿って支持板から起き上がるように折り曲げた包装用緩衝体において、前記受止帯の側縁に、中折線の位置を挟んで受止帯の両端方向に繋がった折込片を連設し、折込片に、中折線の端部から延長した折込線を入れ、折込片を、折込線に沿って屈曲させ、受止帯の内側に折り込むようにしたのである。
【００１１】
具体的には、前記支持板により底面及び一対の側面を形成する１個の主緩衝材と、支持板により一対の端面を形成する２個の副緩衝材とから成り、主緩衝材では、底面及び側面の支持板にスリットを設け、底面と側面の支持板からスリットの内側に沿って受止帯を起き上がらせ、副緩衝材では、端面の支持板にスリットを設け、主緩衝材と副緩衝材とを、スリットの相互差込により一体化したのである。
【発明の効果】
【００１２】
この包装用緩衝体では、受止帯の内側に折り込んだ折込片が抵抗となって、輸送時等に大きな衝撃が作用しても、受止帯の折り曲げが戻ることなく、受止帯が支持板から起き上がった状態に維持されるので、多様な形状の物品を、支持板と共に受止帯により確実に支持することができ、衝撃から保護することができる。
【発明を実施するための最良の形態】
【００１３】
以下、この発明の実施形態を添付図面に基づいて説明する。
【００１４】
図１及び図２に示すように、この包装用緩衝体は、ビデオカメラ用のレンズを梱包する際に使用するものであり、段ボールを材料とする１個の主緩衝材１及び２個の副緩衝材２から構成される。この緩衝体によるレンズの包装に際しては、図３に示すように、緩衝体と共に、スペーサ３を外箱４に挿入する。
【００１５】
主緩衝材１は、図７に示すようなブランクから形成される。このブランクでは、底面を形成する支持板５に、一対の側面を形成する支持板６が連設され、支持板６の先端には、外側板７が連設されている。支持板６と外側板７の境界は、切目線に繋部を断続的に設けたものとされ、繋部には罫線が入れられている。
【００１６】
支持板５，６には、一対のスリット８が連続して設けられ、これらのスリット８は、支持板５，６の境界に対して、支持板５の部分では同一の角度で傾斜し、支持板６の部分では直交する方向に延びている。外側板７にも、先端から一対のスリット８が設けられ、このスリット８は、支持板６のスリット８の延長線上に位置している。
【００１７】
支持板５，６の連設部分には、その境界を跨いで、スリット８の内側に沿って受止帯９が形成され、受止帯９の両端及び中間には、幅方向に延びる端折線９ａ及び中折線９ｂが入れられている。中折線９ｂは、罫線と切目線とが断続するリード罫とされている。２個の受止帯９は、高さと奥行きの比率が異なるものとされている。
【００１８】
受止帯９の側縁には、中折線９ｂの位置を挟んで受止帯９の両端方向に繋がった折込片１０が連設され、受止帯９と折込片１０との境界は、支持板６の端折線９ａの位置から中折線９ｂの位置へかけて受止帯９の幅が狭くなるように傾斜し、折込片１０の端縁には、受止帯９の両端に亘って切目線が入れられている。
【００１９】
折込片１０には、中折線９ｂの端部から延長した折込線１０ａが入れられ、折込線１０ａの基端には、折曲抵抗を軽減するため、逃穴１１が設けられている。受止帯９と折込片１０との境界は、罫線と切目線とが断続するリード罫とされている。
【００２０】
支持板５，６の境界は、スリット８の内外でずれており、境界間の間隔が大きいスリット８の外側部分には、中央に底折線５ａが入れられている。支持板５において、スリット８の内縁には、係合突起８ａが設けられている。
【００２１】
支持板５，６の境界中間部には、支持板６への切込により緩衝突起１２が設けられ、外側板７の先端には、緩衝突起１２に対応する切欠部１３が形成されている。
【００２２】
外側板７には、支持板６に少し切れ込む２本の切目間に緩衝帯１４が形成され、その基端及び中間には幅方向に延びる折目線が入れられている。また、支持板６及び外側板７の一側部には、係止片１５ａ，１５ｂが設けられている。
【００２３】
副緩衝材２は、図８に示すようなブランクから形成される。このブランクでは、端面を形成する支持板２１に、底支持部２２が連設されている。底支持部２２では、主緩衝材１の支持板５におけるスリット８の傾斜に対応した平行四辺形状の２つの部分が対称に順次連設され、その連設部分に、切目と千鳥状にずれた折目とを入れて、複数の緩衝爪２３が形成されている。
【００２４】
また、支持板２１には、上端となる端縁から直交する方向に一対のスリット２４が設けられ、底支持部２２との境界側に、係合穴２５が設けられている。底支持部２２の先端側には、幅方向に延びる罫線が２本入れられ、支持板２１及び底支持部２２には、係止片２６及び係止穴２７がそれぞれ設けられている。
【００２５】
スペーサ３は、図９に示すようなブランクから形成される。このブランクでは、基板３１の両側に支持部３２が連設されている。支持部３２の中間部には、切目と千鳥状にずれた折目とを入れて、複数の緩衝爪３３が形成され、支持部３２の基部には、幅方向に延びる罫線が２本入れられている。
【００２６】
また、支持部３２の巻込状態を保持するため、一方の支持部３２には係止片３４が、他方の支持部３２には係止穴３５がそれぞれ設けられている。さらに、一方の支持部３２には、外箱４に対する固定用の差込片３６が設けられ、緩衝体へのセット時に受止帯９を回避する切欠部３７が形成されている。
【００２７】
上記のような主緩衝材１及び副緩衝材２のブランクから緩衝体を組み立てるには、図２に示すように、主緩衝材１のブランクにおいて、底面の支持板５から一対の側面の支持板６を起立させ、支持板５のスリット８より外側の部分を底折線５ａに沿ってＶ字状に折り曲げ、外側板７を下方に折り曲げて支持板６の外側に重ね、係止片１５ａ，１５ｂの折り曲げにより、支持板６と外側板７とを固定する。
【００２８】
このとき、受止帯９は、端折線９ａ及び中折線９ｂに沿って、支持板５，６から起き上がるように折れ曲がる。すなわち、端折線９ａでは、支持板５，６の折曲方向と同様の山折りとなり、中折線９ｂでは、その反対方向の谷折りとなる。また、緩衝帯１４が外側へ張り出すようにＶ字状に屈曲し、緩衝突起１２が切欠部１３から突出する。
【００２９】
次に、折込片１０を、折込線１０ａに沿って屈曲させ、受止帯９の内側に折り込む。このとき、折込片１０の一端が支持板５から切り離され、また、逃穴１１が設けられていることから、折込片１０を比較的容易に折り込むことができる。
【００３０】
一方、副緩衝材２のブランクにおいて、底支持部２２を巻き込むように折り曲げて、緩衝爪２３を互い違いに傾斜させ、係止片２６を係止穴２７に押し込んで、底支持部２２の巻込状態を保持する。
【００３１】
そして、２個の副緩衝材２を対向させ、図１に示すように、底支持部２２を主緩衝材１の支持板５の下面に沿わせて、主緩衝材１と２個の副緩衝材２とを、スリット８，２４の相互差込により一体化すると、係合突起８ａが係合穴２５に係合して、主緩衝材１と副緩衝材２との分離が防止され、受止帯９により支持板２１の揺動が阻止される。
【００３２】
上記のような緩衝体を使用して、ビデオカメラ用レンズを梱包する際には、図３に示すように、外箱４の箱本体４１に緩衝体を挿入し、スペーサ３を、基板３１から支持部３２を巻き込むことにより組み立てて、各一対の側面及び端面の支持板６，２１に囲まれた収納空間の所定位置にスペーサ３をセットする。
【００３３】
そして、レンズを付属品と共に収納空間に収納した後、図４に示すように、外箱４の天面の前フラップ４２を、トレー状に折り曲げて収納空間の上部に落とし込み、側フラップ４３を、中間部に設けた緩衝爪が互い違いに傾斜するように折り返して、その折返部を前フラップ４２の内側に嵌め、蓋フラップ４４を閉じて封緘する。
【００３４】
ここで、梱包を予定しているレンズには、図５に示す長軸小径のレンズＬ１と、図６に示す短軸大径のレンズＬ２とがあり、これらは、前端から後端へかけて段階的に径が小さくなる形状とされている。レンズＬ１，Ｌ２の梱包に際しては、その前端を一方の端面の支持板２１に沿わせ、前端部の外周を奥行きが小さく背が高い受止帯９の垂直面に沿わせると共に、後端部の外周を奥行きが大きく背が低い受止帯９の水平面に載せる。
【００３５】
また、図５に示すように、長軸小径のレンズＬ１を梱包する際には、奥行きが小さく背が高い受止帯９に並べてスペーサ３をセットし、差込片３６を切欠部１３に差し込んで、スペーサ３を緩衝体に固定し、付属品のファインダーＦを、レンズの外周とスペーサ３との間に収納する。
【００３６】
一方、図６に示すように、短軸大径のレンズＬ２を梱包する際には、レンズＬ２の後方となる支持板２１に沿って、この支持板２１とレンズＬ２の後端面との間に挟まれるようにスペーサ３をセットし、差込片３６を係合穴２５に差し込んで、スペーサ３を緩衝体に固定し、ファインダーＦを、レンズの外周と一方の支持板６との間に収納する。
【００３７】
上記のような包装用緩衝体では、受止帯９の内側に折り込んだ折込片１０が抵抗となって、輸送時等に大きな衝撃が作用しても、受止帯９の折り曲げが戻ることなく、受止帯９が支持板５，６から起き上がった状態に維持されるので、ビデオカメラ用レンズ等の多様な形状の物品を、支持板５，６，２１と共に受止帯９により確実に支持することができ、衝撃から保護することができる。
【００３８】
また、底面の支持板５の下方に、底支持部２２を巻き込むように折り曲げて、互い違いに傾斜した緩衝爪２３を設けたので、外箱４の底面側からの衝撃が緩和され、さらに、天面側に外箱４の前フラップ４２を落とし込み、前フラップ４２の内側に側フラップ４３の緩衝爪を有する折返部を嵌めたので、外箱４の天面側からの衝撃も効果的に緩和され、外箱４の保形性も向上する。
【００３９】
そのほか、一対の側面の支持板６と一対の端面の支持板２１とが平行四辺形をなすようにしたので、ビデオカメラ用レンズのように、テーパー状に長さ方向の径が変化する物品を包装する場合において、スペーサを適宜用いることにより、長さ及び径が異なる複数種の物品に対応することができる。
【００４０】
なお、包装用緩衝体の構造によっては、折込片１０を有する受止帯９を、物品収納空間の外側に起き上がるように設けてもよい。また、支持板の端縁に臨んで受止帯９を設けてもよく、受止帯９の両側に折込片１０を設けてもよい。
【００４１】
そのほか、上記のような折込片１０を有する受止帯９は、例えば、図３に示す外箱４の箱本体４１と蓋フラップ４４の境界部分に設けることもできる。
【図面の簡単な説明】
【００４２】
【図１】この発明の実施形態に係る包装用緩衝体の組立状態を示す斜視図
【図２】同上の主緩衝材と副緩衝材の分離状態を示す斜視図
【図３】同上の緩衝体の外箱への挿入状態を示す斜視図
【図４】同上の外箱の天面閉止過程を示す斜視図
【図５】同上の緩衝体による長軸小径レンズの梱包状態を示す平面図
【図６】同上の緩衝体による短軸大径レンズの梱包状態を示す平面図
【図７】同上の主緩衝材のブランクを示す図
【図８】同上の副緩衝材のブランクを示す図
【図９】同上の緩衝体と共に使用するスペーサのブランクを示す図
【図１０】従来の包装用緩衝体の一例の組立状態を示す斜視図
【図１１】同上の他例の組立過程を示す斜視図
【符号の説明】
【００４３】
１  主緩衝材
２  副緩衝材
３  スペーサ
４  外箱
５，６  支持板
７  外側板
８  スリット
９  受止帯
９ａ  端折線
９ｂ  中折線
１０  折込片
１０ａ  折込線
１１  逃穴
１２  緩衝突起
１３  切欠部
１４  緩衝帯
１５ａ，１５ｂ  係止片
２１  支持板
２２  底支持部
２３  緩衝爪
２４  スリット
２５  係合穴
２６  係止片
２７  係止穴
３１  基板
３２  支持部
３３  緩衝爪
３４  係止片
３５  係止穴
３６  差込片
３７  切欠部
４１  箱本体
４２  前フラップ
４３  側フラップ
４４  蓋フラップ
【図１】
2010132325.tif 000003
【図２】
2010132325.tif 000004
【図３】
2010132325.tif 000005
【図４】
2010132325.tif 000006
【図５】
2010132325.tif 000007
【図６】
2010132325.tif 000008
【図７】
2010132325.tif 000009
【図８】
2010132325.tif 000010
【図９】
2010132325.tif 000011
【図１０】
2010132325.tif 000012
【図１１】
2010132325.tif 000013